(57)【要約】【課題】バッテリモジュールをバッテリケースに確実に固定しつつ、小型化可能なバッテリパックを提供する。【解決手段】バッテリパック１０は、バッテリモジュール１と、バッテリモジュール１を収容するバッテリケース３０と、を備える。バッテリモジュール１は、複数のセル２１を積層することで構成されるセル積層体２と、積層方向においてセル積層体２の両端部に設けられた一対のエンドプレート３と、セル積層体２及びエンドプレート３を搭載するボトムプレート６と、を備える。バッテリモジュール１は、ボトムプレート６のプレート固定部６２がバッテリケース３０の底部３１に固定されており、プレート固定部６２は、セル積層体２及びエンドプレート３の領域内に配置されている。【選択図】図２
2019212395.tif 000002
【特許請求の範囲】
【請求項１】
複数のセルを積層することで構成されるセル積層体と、積層方向において前記セル積層体の両端部に設けられた一対のエンドプレートと、該セル積層体及び前記一対のエンドプレートを搭載するボトムプレートと、を備えるバッテリモジュールと、
該バッテリモジュールを収容するバッテリケースと、を備えるバッテリパックであって、
前記バッテリモジュールは、前記ボトムプレートのプレート固定部が前記バッテリケースの底部に固定されており、
前記プレート固定部は、前記セル積層体及び前記一対のエンドプレートの領域内に配置されている、バッテリパック。
【請求項２】
請求項１に記載のバッテリパックであって、
前記バッテリモジュールは、前記積層方向に直交する方向に該セル積層体を挟んで配置された一対のサイドプレートをさらに備え、
各サイドプレートは、
サイドプレート本体と、
該サイドプレート本体から屈曲して前記エンドプレートの外側面に延設される第１固定片と、
該サイドプレート本体から屈曲して前記ボトムプレートの下面に延設される第２固定片と、を備え、
前記セル積層体及び前記一対のエンドプレートは、前記一対のサイドプレートの前記第１固定片によって前記積層方向に保持され、
前記セル積層体及び前記ボトムプレートは、前記一対のサイドプレートの前記第２固定片によって下方から保持され、
前記バッテリモジュールは、前記プレート固定部のみが前記バッテリケースの前記底部に固定されている、バッテリパック。
【請求項３】
請求項１又は２に記載のバッテリパックであって、
前記プレート固定部は、前記ボトムプレートに設けられた孔部であり、
該孔部には雌ネジが形成されており、
前記バッテリケースの前記底部の下方からボルトで締結されている、バッテリパック。
【請求項４】
請求項１又は２に記載のバッテリパックであって、
前記プレート固定部は、前記ボトムプレートに設けられた孔部であり、
該孔部にはナットが埋設されており、
前記バッテリケースの前記底部の下方からボルトで締結されている、バッテリパック。
【請求項５】
請求項４に記載のバッテリパックであって、
前記ナットは、前記プレート固定部の下面から下方に突出する突出部を有し、
前記バッテリケースの前記底部には、前記ナットの前記突出部に嵌合する凹部が設けられている、バッテリパック。
【請求項６】
請求項３〜５のいずれか１項に記載のバッテリパックであって、
前記ボルトの端部は、前記ボトムプレートの上面から突出しない、バッテリパック。
【請求項７】
請求項１〜６のいずれか１項に記載のバッテリパックであって、
前記バッテリケースには、前記底部の上面に凹部が設けられ、
前記ボトムプレートの下面と前記バッテリケースの前記凹部とにより冷媒流路が設けられている、バッテリパック。
【請求項８】
請求項１〜６のいずれか１項に記載のバッテリパックであって、
前記バッテリケースには、前記底部の下面に凹部が設けられ、
該凹部は、カバー部材で封止され、
前記バッテリケースの前記凹部と該カバー部材とにより冷媒流路が設けられ、
前記カバー部材は、前記バッテリケースの前記底部の下方から前記プレート固定部に固定されるボルトによって共締めされている、バッテリパック。
【発明の詳細な説明】
【技術分野】
【０００１】
本発明は、電動車両などに搭載されるバッテリパックに関する。
【背景技術】
【０００２】
従来より電動車両などにはバッテリパックが搭載されている。バッテリパックは、複数のバッテリセルを積層したセル積層体を、バッテリケースに収容することで構成される。例えば、特許文献１には、セル積層体を積層方向両側から一対のエンドプレートで挟み、両エンドプレートを、セル積層体の底面に設けた板状部材と共にバッテリケースにボルトで固定したバッテリパックが記載されている。
【先行技術文献】
【特許文献】
【０００３】
【特許文献１】特開２０１３−１２２８１８号公報
【発明の概要】
【発明が解決しようとする課題】
【０００４】
しかしながら、特許文献１のバッテリパックでは、セル積層体の底面に設けられる板状部材のボルト固定部がエンドプレートの外側に張り出しているため、全体の寸法が拡大してしまい、バッテリパックが大型化してしまうという課題があった。
【０００５】
本発明は、バッテリモジュールをバッテリケースに確実に固定しつつ、小型化可能なバッテリパックを提供する。
【課題を解決するための手段】
【０００６】
本発明は、
複数のセルを積層することで構成されるセル積層体と、積層方向において前記セル積層体の両端部に設けられた一対のエンドプレートと、該セル積層体及び前記一対のエンドプレートを搭載するボトムプレートと、を備えるバッテリモジュールと、
該バッテリモジュールを収容するバッテリケースと、を備えるバッテリパックであって、
前記バッテリモジュールは、前記ボトムプレートのプレート固定部が前記バッテリケースの底部に固定されており、
前記プレート固定部は、前記セル積層体及び前記一対のエンドプレートの領域内に配置されている。
【発明の効果】
【０００７】
本発明によれば、バッテリケースの底部に固定されるボトムプレートのプレート固定部が、セル積層体及び一対のエンドプレートの領域内に配置されているので、プレート固定部がセル積層体及び一対のエンドプレートの領域から張り出すことが防止される。これにより、バッテリモジュールをバッテリケースに確実に固定しつつ、バッテリモジュールを小型化できる。
【図面の簡単な説明】
【０００８】
【図１】本発明の第１実施形態のバッテリパックを収容されるバッテリモジュールを斜め上方から見た斜視図である。
【図２】図１のバッテリモジュールを斜め下方から見た斜視図である。
【図３】図１のバッテリモジュールとバッテリケースとの固定構造を示す断面図である。
【図４】第１変形例の固定構造を示す断面図である。
【図５】第２変形例の固定構造を示す断面図である。
【図６】第３変形例の固定構造を示す断面図である。
【図７】本発明の第１実施形態のバッテリパックの断面図である。
【図８】本発明の第２実施形態のバッテリパックの部分断面図である。
【図９】本発明の第３実施形態のバッテリパックの部分断面図である。
【発明を実施するための形態】
【０００９】
以下、本発明のバッテリパックの各実施形態を、添付図面に基づいて説明する。
【００１０】
［第１実施形態］
＜バッテリパック＞
先ず、本発明の第１実施形態のバッテリパックについて図７を参照しながら説明する。
本実施形態のバッテリパック１０は、図７に示すように、バッテリモジュール１と、バッテリモジュール１を収容するバッテリケース３０と、を備える。
【００１１】
＜バッテリケース＞
バッテリケース３０は、内部にモジュール収容部３５ａが形成されたケース本体３５と、該ケース本体３５の開口部３５ｂを封止するケースカバー３６と、を備える。バッテリモジュール１とケース本体３５の底部３１とが固定されることで、バッテリモジュール１がバッテリケース３０のモジュール収容部３５ａに収容される。なお、バッテリモジュール１とバッテリケース３０との固定構造についての詳細は後述する。
【００１２】
＜バッテリモジュール＞
【００１３】
バッテリモジュール１は、図１〜図３に示すように、前後方向に複数のセル２１を積層して構成され、前面、後面、左面、右面、上面、及び下面を有するセル積層体２と、セル積層体２の前面及び後面に配置される一対のエンドプレート３と、一対のエンドプレート３を連結するサイドプレート５と、セル積層体２の下面に配置されるボトムプレート６と、を備える。サイドプレート５は、セル積層体２の右面に配置される右サイドプレート５Ｒと、セル積層体２の左面に配置される左サイドプレート５Ｌと、を備える。
【００１４】
なお、本明細書等では説明を簡単且つ明確にするためにセル２１の積層方向を前後方向と定義し、セル２１の積層方向に直交する方向を左右方向及び上下方向と定義したものであり、バッテリモジュール１が搭載される製品の前後方向等とは無関係である。即ち、バッテリモジュール１が車両に搭載される場合、セル２１の積層方向は、車両の前後方向に一致してもよく、車両の上下方向、左右方向であってもよく、これらの方向から傾斜した方向であってもよい。図面には、バッテリモジュール１の前方をＦｒ、後方をＲｒ、左側をＬ、右側をＲ、上方をＵ、下方をＤ、として示す。
【００１５】
（セル積層体）
セル積層体２は、複数のセル２１と絶縁部材（図示省略）とを前後方向に交互に積層して構成される。セル積層体２の前面及び後面には、それぞれ一対のエンドプレート３が配置され、セル積層体２の下面には、ボトムプレート６が配置される。また、セル積層体２の左面及び右面には、それぞれ僅かな隙間を介した絶縁状態で右サイドプレート５Ｒ及び左サイドプレート５Ｌが配置される。
【００１６】
セル２１は、温度変化や経年劣化によって膨張することが知られている。セル２１は、前後方向の長さよりも上下方向の長さが長く、上下方向の長さよりも左右方向の長さが長い直方体形状を有する。そのため、セル２１は前面及び後面の面積が、左面、右面、上面及び下面の面積よりもはるかに大きく、セル２１の前面及び後面で、その左右方向中央部及び上下方向中央部が膨張しやすい。
【００１７】
セル積層体２の上面には、セル２１の端子２１ａに電気的に接続される複数のバスバー（図示せず）が配置される。バスバーには、セル２１の端子２１ａ同士を接続するためのものや、セル２１の端子２１ａを外部接続用の端子（図示せず）に接続するためのものが含まれる。バッテリモジュール１からバスバーに荷重が入力された場合、バスバーと端子との相対的な位置ずれに基づいて接続不良が生じる虞がある。従って、バッテリモジュール１からバスバーに対する荷重の入力は、可及的に低減することが望ましい。
【００１８】
（エンドプレート）
一対のエンドプレート３は、それぞれセル積層体２の前面及び後面に当接し、セル積層体２のセル積層方向の荷重（以下、適宜セル厚拘束反力ともいう。）を受け止める。セル積層体２のセル積層方向の荷重は、主に温度変化や経年劣化によるセル２１の膨張に起因するものであり、上述したように、セル２１の前面及び後面では、その左右方向中央部及び上下方向中央部が膨張しやすいため、エンドプレート３の左右方向中央部及び上下方向中央部に大きな荷重が入力される。
【００１９】
エンドプレート３は、セル積層体２からセル積層方向の大きな荷重を受けるため、セル積層体２と当接する内方の面が平坦であるのに対し、セル積層体２と当接しない外方の面は外方に膨出した形状となっている。
【００２０】
（サイドプレート）
左サイドプレート５Ｌ及び右サイドプレート５Ｒは、金属板材をプレス加工して形成されており、セル積層体２の左面又は右面に沿うサイドプレート本体５１と、サイドプレート本体５１の前端から前側のエンドプレート３の前面に沿って互いに近づく方向に延びる前フランジ部５２Ｆと、サイドプレート本体５１の後端から後側のエンドプレート３の後面に沿って互いに近づく方向に延びる後フランジ部５２Ｒと、サイドプレート本体５１の上端からセル積層体２の上面に沿って互いに近づく方向に延びる上フランジ部５３と、サイドプレート本体５１の下端からボトムプレート６の下面に沿って互いに近づく方向に延びる下フランジ部５４と、を備える。
【００２１】
前フランジ部５２Ｆ及び後フランジ部５２Ｒには、前側のエンドプレート３又は後側のエンドプレート３にボルトＢ１を介して締結される複数の締結部５２ａが設けられる。締結部５２ａは、ボルトＢ１が挿通される丸孔を有し、該丸孔に挿通したボルトＢ１を前側のエンドプレート３又は後側のエンドプレート３にねじ込むことで、前フランジ部５２Ｆ及び後フランジ部５２Ｒが前側のエンドプレート３又は後側のエンドプレート３に締結される。これにより、セル積層体２及び一対のエンドプレート３は、左サイドプレート５Ｌ及び右サイドプレート５Ｒの前フランジ部５２Ｆ及び後フランジ部５２Ｒによってセル積層方向に保持される。
【００２２】
上フランジ部５３と下フランジ部５４は、セル積層体２の左端部及び右端部においてセル積層体２及びボトムプレート６を上下方向から挟持している。これにより、セル積層体２、左サイドプレート５Ｌ、右サイドプレート５Ｒ及びボトムプレート６の上下方向の相対位置変動が規制されるので、ボトムプレート６に対し上下方向の荷重が作用しても、各セル２１の端子２１ａ若しくはセル２１同士を接続するバスバーへの荷重の入力が低減される。
【００２３】
上フランジ部５３は、弾性を有しており、上下方向の弾性変形が許容される。これにより、右サイドプレート５Ｒ及び左サイドプレート５Ｌをセル積層体２及びボトムプレート６に対し左右方向から取り付ける際、上フランジ部５３が弾性変形することで取り付けが容易となる。
【００２４】
本実施形態の上フランジ部５３は、前後方向に並ぶ複数の弾性片５３ａにより構成されており、弾性片５３ａの個数及び位置は、前後方向に積層されるセル２１の個数及び位置に対応している。これにより、上フランジ部５３は、適度な弾性を有しつつ、複数のセル２１を個別に弾性保持できる。
【００２５】
なお、本実施形態の右サイドプレート５Ｒ及び左サイドプレート５Ｌでは、上フランジ部５３がサイドプレート本体５１と一体にプレス成形されているが、上フランジ部５３をサイドプレート本体５１と別体でプレス成形した後、溶接やカシメによってサイドプレート本体５１と一体化してもよい。
【００２６】
下フランジ部５４には、ボトムプレート６にボルトＢ２を介して締結される複数の締結部５４ａが設けられる。これにより、サイドプレート５を構成する左サイドプレート５Ｌ、右サイドプレート５Ｒ及びボトムプレート６が一体的に連結される。
【００２７】
右サイドプレート５Ｒの下フランジ部５４に設けられる締結部５４ａは、左方向に開口する切欠部であり、左サイドプレート５Ｌの下フランジ部５４に設けられる締結部５４ａは、右方向に開口する切欠部である。これにより、ボルトＢ２をボトムプレート６に仮止めした状態で右サイドプレート５Ｒ及び左サイドプレート５Ｌを左右方向から装着することができる。
【００２８】
（ボトムプレート）
ボトムプレート６は、セル積層体２及びエンドプレート３の下面に沿って延びるボトムプレート本体６１と、バッテリケース３０に固定される複数のプレート固定部６２と、ボトムプレート本体６１の左右両端部から上方に突出し、且つ前後方向に沿って延びるガイド部（図示省略）と、下フランジ部５４の締結部５４ａに締結されるボルトＢ２が貫通する貫通孔６１ｆと、を備える。ボトムプレート本体６１は、平面視長方形であり、前後方向の長さ寸法が前後のエンドプレート３の前後両端間の距離と略等しく選定されている。
【００２９】
（バッテリモジュールの固定構造）
バッテリモジュール１とバッテリケース３０との固定部となるプレート固定部６２は、セル積層体２及び前後のエンドプレート３の領域内に配置されている。すなわち、プレート固定部６２が、上方からセル積層体２及び前後のエンドプレート３を投影した投影領域から前後方向及び左右方向のいずれの方向にも張り出していない。
【００３０】
プレート固定部６２は、具体的には、ボトムプレート本体６１の四隅に設けられた孔部６２ａであり、孔部６２ａには、図３に示すように、ボルトＢ３と螺合するねじ孔（雌ねじ６６）を有するナット６３が回転不能に埋設されている。ナット６３は、ボトムプレート本体６１の下面６１ａから下方に突出する突出部６３ａを有し、その突出部６３ａがバッテリケース３０の底部３１の上面３１ａに当接している。バッテリケース３０の底部３１には、ナット６３のねじ孔６３ｂと連通する貫通孔３１ｂが設けられている。ボルトＢ３の雄ねじ部６４ａは、バッテリケース３０の底部３１の下方から貫通孔３１ｂを通してナット６３のねじ孔６３ｂに螺合している。ボルトＢ３のヘッド部６４ｂとバッテリケース３０の底部３１の下面３１ｄとの間にはワッシャ６５が設けられている。そして、ボルトＢ３をナット６３に締め込むことにより、ボトムプレート６がバッテリケース３０の底部３１に締着固定されている。
【００３１】
このバッテリパック１０によれば、バッテリケース３０の外部からボルトＢ３を締めるという簡易な作業で、バッテリモジュール１をバッテリケース３０に固定することができバッテリモジュール１をバッテリケース３０に確実に固定しつつ、バッテリモジュール１を小型化できる。また、バッテリモジュール１は、ボルトＢ３によって、ボトムプレート６のプレート固定部６２のみがバッテリケース３０の底部３１に固定されるので、セル２１の膨張によるバッテリモジュール１のセル積層方向への移動を許容できる。さらに、ボルトＢ３の雄ねじ部６４ａの先端が、ボトムプレート本体６１の上面６１ｃから突出していないので、ボトムプレート本体６１の上面６１ｃに配置されるセル２１などとの干渉が生じない。
【００３２】
つぎに、上記したバッテリモジュールの固定構造の変形例ついて、図４〜図６を参照して説明する。ただし、第１実施形態との相違点のみを説明し、第１実施形態と共通の構成については、第１実施形態と同じ符号を用いることにより、第１実施形態の説明を援用する。
【００３３】
＜第１変形例＞
図４に示すように、第１変形例の固定構造は、バッテリケース３０の底部３１に、ナット６３の突出部６３ａに嵌合する凹部３１ｃが設けられている。この第１変形例の固定構造によれば、バッテリモジュール１をバッテリケース３０に固定するに際し、ナット６３の突出部６３ａをバッテリケース３０の凹部３１ｃに嵌合させることにより、バッテリモジュール１をバッテリケース３０に容易に位置決めすることができる。
【００３４】
＜第２変形例＞
図５に示すように、第２変形例の固定構造は、ボトムプレート本体６１のプレート固定部６２の孔部６２ａに雌ネジ６６が形成されている。詳細には、ボトムプレート本体６１には、下面６１ａから下方に突出する突出部６１ｂが設けられ、突出部６１ｂの下面中央に孔部６２ａが開口し、その孔部６２ａの内周部に雌ネジ６６が形成されている。そして、ボルトＢ３の雄ねじ部６４ａが、バッテリケース３０の底部３１の下方から貫通孔３１ｂを通して雌ネジ６６に螺合している。この第２変形例の固定構造によれば、バッテリケース３０の外部からボルトＢ３を締めるという簡易な作業で、バッテリモジュール１をバッテリケース３０に固定することができる。
【００３５】
＜第３変形例＞
図６に示すように、第３変形例の固定構造は、ボトムプレート本体６１にボルト６７が回転不能に埋設されている。詳細には、ボトムプレート本体６１には、ボルト６７のねじ部６７ａが挿通されるボルト挿通孔６１ｄと、ヘッド部６７ｂが回転不能に嵌合する凹部６１ｅと、が設けられている。ヘッド部６７ｂが凹部６１ｅに嵌合した状態において、ヘッド部６７ｂの上端面はボトムプレート本体６１の上面６１ｃと同一面をなしている。ねじ部６７ａは、貫通孔３１ｂに挿通され、バッテリケース３０の底部３１の下面３１ｄから下方に突出し、バッテリケース３０の底部３１の下方に設けられたナット６８に螺合している。この第３変形例の固定構造によれば、バッテリケース３０の外部からナット６８を締めるという簡易な作業で、バッテリモジュール１をバッテリケース３０に固定することができる。
【００３６】
次に、本発明の他の実施形態のバッテリパックについて、図８及び図９を参照して説明する。ただし、第１実施形態との相違点のみを説明し、第１実施形態と共通の構成については、第１実施形態と同じ符号を用いることにより、第１実施形態の説明を援用する。
【００３７】
＜第２実施形態＞
図８に示すように、第２実施形態に係るバッテリパック１０Ａでは、バッテリケース３０の底部３１の上面３１ａに凹部３０ａが設けられ、ボトムプレート本体６１の下面６１ａとバッテリケース３０の凹部３０aとにより冷媒流路３２が形成されている。なお、バッテリモジュール１とバッテリケース３０との固定構造は図４と同様である。このバッテリパック１０Ａによれば、部品を増やすことなく冷媒流路３２を形成してバッテリモジュール１を効率良く冷却することができる。
【００３８】
＜第３実施形態＞
図９に示すように、第３実施形態に係るバッテリパック１０Ｂでは、バッテリケース３０の底部３１の下面３１ｄに凹部３０ｂが設けられ、凹部３０ｂがカバー部材６９で封止されている。そして、バッテリケース３０の凹部３０ｂとカバー部材６９とにより冷媒流路３３が形成されている。カバー部材６９は、バッテリケース３０の底部３１の下方からボトムプレート６のプレート固定部６２に固定されるボルトＢ３によってボトムプレート６及びバッテリケース３０と共締めされている。このバッテリパック１０Ｂによれば、冷媒流路３３を形成してバッテリモジュール１を効率良く冷却することができる。また、カバー部材６９が、ボトムプレート６及びバッテリケース３０と共締めされているので、カバー部材６９を固定するためのボルトを追加する必要がない。
【００３９】
なお、本発明は、前述した実施形態に限定されるものではなく、適宜、変形、改良、等が可能である。例えば、第２実施形態及び第３実施形態のバッテリパック１０Ａ、１０Ｂにおいて、第１〜第３変形例の固定構造を採用してもよい。
【００４０】
また、本明細書には少なくとも以下の事項が記載されている。なお、括弧内には、上記した実施形態において対応する構成要素等を示しているが、これに限定されるものではない。
【００４１】
（１）  複数のセル（セル２１）を積層することで構成されるセル積層体（セル積層体２）と、積層方向において前記セル積層体の両端部に設けられた一対のエンドプレート（エンドプレート３）と、該セル積層体及び前記一対のエンドプレートを搭載するボトムプレート（ボトムプレート６）と、を備えるバッテリモジュール（バッテリモジュール１）と、
該バッテリモジュールを収容するバッテリケース（バッテリケース３０）と、を備えるバッテリパック（バッテリパック１０、１０Ａ、１０Ｂ）であって、
前記バッテリモジュールは、前記ボトムプレートのプレート固定部（プレート固定部６２）が前記バッテリケースの底部（底部３１）に固定されており、
前記プレート固定部は、前記セル積層体及び前記一対のエンドプレートの領域内に配置されている、バッテリパック。
【００４２】
（１）によれば、バッテリケースの底部に固定されるボトムプレートのプレート固定部が、セル積層体及び一対のエンドプレートの領域内に配置されているので、プレート固定部がセル積層体及び一対のエンドプレートの領域から張り出すことが防止される。これにより、バッテリモジュールをバッテリケースに確実に固定しつつ、バッテリモジュールを小型化できる。
【００４３】
（２）  （１）に記載のバッテリパックであって、
前記バッテリモジュールは、前記積層方向に直交する方向に該セル積層体を挟んで配置された一対のサイドプレート（サイドプレート５Ｌ，５Ｒ）をさらに備え、
各サイドプレートは、
サイドプレート本体（サイドプレート本体５１）と、
該サイドプレート本体から屈曲して前記エンドプレートの外側面に延設される第１固定片（前フランジ部５２Ｆ，後フランジ部５２Ｒ）と、
該サイドプレート本体から屈曲して前記ボトムプレートの下面に延設される第２固定片（下フランジ部５４）と、を備え、
前記セル積層体及び前記一対のエンドプレートは、前記一対のサイドプレートの前記第１固定片によって前記積層方向に保持され、
前記セル積層体及び前記ボトムプレートは、前記一対のサイドプレートの前記第２固定片によって下方から保持され、
前記バッテリモジュールは、前記プレート固定部のみが前記バッテリケースの前記底部に固定されている、バッテリパック。
【００４４】
（２）によれば、プレート固定部のみがバッテリケースの底部に固定されているので、セルの膨張によるバッテリモジュールのセル積層方向への移動を許容できる。
【００４５】
（３）  （１）又は（２）に記載のバッテリパックであって、
前記プレート固定部は、前記ボトムプレートに設けられた孔部（孔部６２ａ）であり、
該孔部には雌ネジ（雌ネジ６６）が形成されており、
前記バッテリケースの前記底部の下方からボルト（ボルトＢ３）で締結されている、バッテリパック。
【００４６】
（３）によれば、バッテリモジュールをバッテリケースに収容した後、外部から容易にバッテリモジュールをバッテリケースに固定できる。
【００４７】
（４）  （１）又は（２）に記載のバッテリパックであって、
前記プレート固定部は、前記ボトムプレートに設けられた孔部（孔部６２ａ）であり、
該孔部にはナット（ナット６３）が埋設されており、
前記バッテリケースの前記底部の下方からボルト（ボルトＢ３）で締結されている、バッテリパック。
【００４８】
（４）によれば、バッテリモジュールをバッテリケースに収容した後、外部から容易にバッテリモジュールをバッテリケースに固定できる。
【００４９】
（５）  （４）に記載のバッテリパックであって、
前記ナットは、前記プレート固定部の下面（下面６１ａ）から下方に突出する突出部（突出部６３ａ）を有し、
前記バッテリケースの前記底部には、前記ナットの前記突出部に嵌合する凹部（凹部３１ｃ）が設けられている、バッテリパック。
【００５０】
（５）によれば、バッテリモジュールをバッテリケースに対し容易に位置決めすることができる。
【００５１】
（６）  （３）〜（５）のいずれかに記載のバッテリパックであって、
前記ボルトの端部は、前記ボトムプレートの上面（上面６１ｃ）から突出しない、バッテリパック。
【００５２】
（６）によれば、ボルトの端部がその上方に配置されるセルなどと干渉しないため、バッテリパックの高さ寸法を小さくできる。
【００５３】
（７）  （１）〜（６）のいずれかに記載のバッテリパックであって、
前記バッテリケースには、前記底部の上面に凹部（凹部３０ａ）が設けられ、
前記ボトムプレートの下面（下面６１ａ）と前記バッテリケースの前記凹部とにより冷媒流路（冷媒流路３２）が設けられている、バッテリパック。
【００５４】
（７）によれば、部品を増やすことなく冷媒流路を形成し、バッテリモジュールを冷却できる。
【００５５】
（８）  （１）〜（６）のいずれかに記載のバッテリパックであって、
前記バッテリケースには、前記底部の下面に凹部（凹部３０ｂ）が設けられ、
該凹部は、カバー部材（カバー部材６９）で封止され、
前記バッテリケースの前記凹部と該カバー部材とにより冷媒流路（冷媒流路３３）が設けられ、
前記カバー部材は、前記バッテリケースの前記底部の下方から前記プレート固定部に固定されるボルト（ボルトＢ３）によって共締めされている、バッテリパック。
【００５６】
（８）によれば、カバー部材を固定するボルトを別途必要とすることなく、冷媒流路を形成し、バッテリモジュールを冷却できる。
【符号の説明】
【００５７】
１  バッテリモジュール
１０、１０Ａ、１０Ｂ  バッテリパック
２  セル積層体
２１  セル 
３  エンドプレート
５Ｌ，５Ｒ  サイドプレート
６  ボトムプレート
６１ａ  下面
６１ｃ  上面
３０  バッテリケース
３０ａ  凹部
３０ｂ  凹部
３１  底部
３１ｃ  凹部
３２  冷媒流路
３３  冷媒流路
５１  サイドプレート本体
５２Ｆ  前フランジ部（第１固定片）
５２Ｒ  後フランジ部（第１固定片）
５４  下フランジ部（第２固定片）
６２  プレート固定部
６２ａ  孔部
６６  雌ネジ
６３  ナット
６３ａ  突出部
６９  カバー部材
Ｂ３  ボルト
【図１】
2019212395.tif 000003
【図２】
2019212395.tif 000004
【図３】
2019212395.tif 000005
【図４】
2019212395.tif 000006
【図５】
2019212395.tif 000007
【図６】
2019212395.tif 000008
【図７】
2019212395.tif 000009
【図８】
2019212395.tif 000010
【図９】
2019212395.tif 000011